(57)【要約】      （修正有）【課題】構造が簡易で低コスト化が可能な有機発光装置を提供する。【解決手段】有機発光装置３０Cは、有機発光素子と、有機発光素子を固定及び電気的に接続するピン接続孔を含む電極基板１１、１２と、有機発光素子の周辺部を挟持する挟持部、及びピン接続孔に嵌入して有機発光素子を電極基板１１、１２に接続する差込部を有するリードピン９、１０と、有機発光素子間の境界領域の上方に配置された導光性部材１８、１９と、導光性部材１８、１９を介して有機発光素子を覆うように配置された光拡散シート１７を備えている。【選択図】図８
2014003026.tif 000002
【特許請求の範囲】
【請求項１】
有機発光素子と、
前記有機発光素子を固定及び電気的に接続するピン接続孔を含む電極基板と、
前記有機発光素子の周辺部を挟持する挟持部、及び前記ピン接続孔に嵌入して前記有機発光素子を前記電極基板に接続する差込部を有するリードピンと、
前記有機発光素子間の境界領域の上方に配置された導光性部材と、
前記導光性部材を介して前記有機発光素子を覆うように配置された光拡散シートと
を備えることを特徴とする有機発光装置。
【請求項２】
前記導光性部材の前記有機発光素子の表面に対する傾斜角は、４０〜６５°であることを特徴とする請求項１に記載の有機発光装置。
【請求項３】
前記導光性部材は、前記有機発光素子から発光される光を集光するプリズム部と、前記プリズム部からの光を基板の外側に出射する拡散部とからなり、
前記拡散部及び前記光拡散シートのヘイズ値は、１０〜２０％であることを特徴とする請求項１又は２に記載の有機発光装置。
【請求項４】
前記有機発光素子は、前記差込部を介して前記ピン接続孔に着脱自在に取付けられたことを特徴とする請求項１〜３のいずれか１項に記載の有機発光装置。
【請求項５】
前記リードピンは、導電性を有する弾性体からなることを特徴とする請求項１〜４のいずれか１項に記載の有機発光装置。
【請求項６】
前記有機発光素子は、平面視で略矩形形状を有しており、該矩形の少なくとも２辺若しくは少なくとも２角に前記リードピンが配置されていることを特徴とする請求項１〜５のいずれか１項に記載の有機発光装置。
【請求項７】
前記有機発光素子と前記電極基板間に配置された伝熱性部材を更に備えることを特徴とする請求項１〜６のいずれか１項に記載の有機発光装置。
【請求項８】
前記電極基板が絶縁層を介して複数並設して接続されており、該接続された電極基板の主面に前記有機発光素子が隣接して複数配置されたことを特徴とする請求項１〜７のいずれか１項に記載の有機発光装置。
【発明の詳細な説明】
【技術分野】
【０００１】
本発明は、有機発光装置に関し、特に、構造が簡易で低コスト化が可能な有機発光装置に関する。
【背景技術】
【０００２】
近年、有機発光素子として有機ＥＬ（ＥＬ：Electroluminescence）素子を用いた照明装置が実用化に向けて開発が進められている。従来、フレキシブルフィルムや線材をリード線として用いて、有機ＥＬ素子に電源を接続した有機ＥＬ照明パネルが知られている。
【０００３】
図９に、従来の有機ＥＬ照明パネルの一例を示す。従来の有機ＥＬ照明パネル１００は、陽極と陰極に挟まれた有機ＥＬ層が基板上に配置されており、陽極は陽極取り出し電極１０１に、陰極は陰極取り出し電極１０２にそれぞれ接続されている。陽極取り出し電極１０１及び陰極取り出し電極１０２上にはフレキシブルケーブルが設けられており、フレキシブルケーブルの端子と電気的に接続されている（例えば、特許文献１参照。）。
【０００４】
このように従来の有機ＥＬ照明パネルは、ディスプレイパネルと同様に、四角のパネルの四辺のうちのいずれか或いは四辺すべてに電源入力端子を設け、そこからフレキシブルケーブルでリード線として取り出している。
【先行技術文献】
【特許文献】
【０００５】
【特許文献１】特開２００７−０６６７０９号公報
【発明の概要】
【発明が解決しようとする課題】
【０００６】
しかしながら、上記従来の技術においては、リード線を接続するコネクタや端子台、及びパネルを固定するための部品が別途必要となり、構造が複雑でコスト高になるといった問題がある。さらに、構造が複雑となるため、パネルの脱着が煩雑になり、パネル交換作業が容易ではないといった問題がある。
【０００７】
本発明の目的は、構造が簡易で低コスト化が可能な有機発光装置を提供することにある。
【課題を解決するための手段】
【０００８】
上記目的を達成するための本発明の一態様によれば、有機発光素子と、前記有機発光素子を固定及び電気的に接続するピン接続孔を含む電極基板と、前記有機発光素子の周辺部を挟持する挟持部、及び前記ピン接続孔に嵌入して前記有機発光素子を前記電極基板に接続する差込部を有するリードピンと、前記有機発光素子間の境界領域の上方に配置された導光性部材と、前記導光性部材を介して前記有機発光素子を覆うように配置された光拡散シートとを備えることを特徴とする有機発光装置が提供される。
【発明の効果】
【０００９】
本発明の有機発光装置によれば、構造が簡易で低コスト化が可能な有機発光装置を提供することができる。
【図面の簡単な説明】
【００１０】
【図１】本発明の第１の実施の形態に係る有機発光装置の模式的斜視図。
【図２】図１のＩ−Ｉ線の断面構造図。
【図３】本発明の第１の実施の形態に係る有機発光装置の製造方法の説明図であって、（ａ）基板１上に陽極層２及び陰極端子６を形成し、さらに絶縁層７を形成する工程図、（ｂ）有機発光層３を形成する工程図、（ｃ）陰極層４を成膜する工程図、（ｄ）封止板８を形成する工程図、（ｅ）リードピン（９、１０）を取り付ける工程図。
【図４】本発明の第１の実施の形態に係る有機発光装置の製造方法の説明図であって、（ｆ）陽極電極基板１１と陰極電極基板１２を絶縁層１３を介して接合し、ピン接続孔（１４、１５）を形成する工程図、（ｇ）有機発光素子２０を電極基板（１１、１２）に取り付ける工程図。
【図５】本発明の第２の実施の形態に係る有機発光装置の断面構造図。
【図６】本発明の第３の実施の形態に係る有機発光装置の模式的一部破断斜視図。
【図７】図６の平面図。
【図８】本発明の第４の実施の形態に係る有機発光装置の説明図であって、（ａ）平面図、（ｂ）（ａ）のII−II線の断面構造図。
【図９】従来の有機発光照明パネルの模式的断面構造図。
【発明を実施するための形態】
【００１１】
以下、図面を参照して本発明の実施の形態による有機発光装置を説明する。以下の図面の記載において、同一又は類似の部分には同一又は類似の符号を付している。ただし、図面は模式的なものであり、現実のものとは異なり、また、図面相互間においても互いの寸法の関係や比率が異なる部分が含まれていることに留意すべきである。
【００１２】
[第１の実施の形態]
（有機発光装置の構造）
本発明の第１の実施の形態に係る有機発光装置は、図１及び図２に示すように、有機発光素子２０と、有機発光素子２０を固定及び電気的に接続するピン接続孔（１４、１５）を含む電極基板（１１、１２）と、有機発光素子２０の周辺部を挟持する挟持部９ａ、１０ａ、及びピン接続孔（１４、１５）に嵌入して有機発光素子２０を電極基板（１１、１２）に接続する差込部９ｂ、１０ｂを有するリードピン（９、１０）とを備えている。
【００１３】
有機発光素子２０は、基板１上に、陽極層２、有機発光層３及び陰極層４が順次積層されて形成されている。陽極層２と陰極層４は絶縁層７を介して絶縁されており、陽極層２には陽極層２が延伸して配置された陽極端子５が、陰極層４には陰極層４が延伸して配置された陰極端子６がそれぞれ形成されている。
【００１４】
また、有機発光素子２０は、封止板８により陽極端子５及び陰極端子６を除いて、陰極層４側の表面が封止されている。
【００１５】
リードピン（９、１０）は陽極側リードピン９及び陰極側リードピン１０を含む。
【００１６】
陽極側リードピン９は、有機発光素子２０の端部を陽極端子５を介して挟持する挟持部９ａと、後述する陽極側ピン接続孔１４に嵌入して有機発光素子２０を固定する差込部９ｂとを備えている。陰極側リードピン１０も、同様に、有機発光素子２０の端部を陰極端子６を介して挟持する挟持部１０ａと、後述する陰極側ピン接続孔１５に嵌入して有機発光素子２０を固定する差込部１０ｂとを備えている。
【００１７】
リードピン（２９、４０）は、陽極側リードピン２９及び陰極側リードピン４０を含む。
【００１８】
陽極側リードピン２９及び陰極側リードピン４０は上述した陽極側リードピン９及び陰極側リードピン１０の構成と同様であるので、重複した説明を省略する。
【００１９】
電極基板（１１、１２）は、陽極電極基板１１と陰極電極基板１２を含む。
【００２０】
陽極電極基板１１と陰極電極基板１２は絶縁層１３を介して絶縁されており、陽極電極基板１１には陽極側ピン接続孔１４が、陰極電極基板１２には陰極側ピン接続孔１５がそれぞれ形成されている。
【００２１】
陽極側リードピン９の差込部９ｂが陽極側ピン接続孔１４に、陰極側リードピン１０の差込部１０ｂが陰極側ピン接続孔１５に嵌入されて、有機発光素子２０が電極基板（１１、１２）上に取り付けられている。差込部９ｂ及び差込部１０ｂは、折曲した形状を有し、ピン接続孔（１４、１５）の内壁をばね状に当接して着脱可能なように差し込まれている。
【００２２】
この有機発光装置３０では、基板１側から光Ｌが取り出されるように構成されているので、基板１は、ガラス基板等の光を透過する透明基板が用いられる。
【００２３】
基板１は、平面視で略矩形形状を有しているのが好ましい。矩形の少なくとも２辺若しくは２角にそれぞれリードピン（９、１０）が配置されている。
【００２４】
陽極層２は、基板１と同様に、光を透過可能な厚さ約１５０〜約１６０ｎｍのＩＴＯ（インジウム−スズ酸化物）の透明電極からなる。
【００２５】
有機発光層３は、基板１側から、正孔輸送層、発光部及び電子輸送層が順次積層されている。
【００２６】
正孔輸送層は、陽極層２から注入された正孔を円滑に発光部に輸送するためのものであり、例えば厚さ約６０ｎｍのＮＰＢ（Ｎ，Ｎ−ジ（ナフタリル）−Ｎ，Ｎ−ジフェニル−ベンジデン）からなる。
【００２７】
電子輸送層は、陰極層４から注入された電子を円滑に発光部に輸送するためのものであり、例えば厚み約３５ｎｍのＡｌｑ３（アルミニウムキノリノール錯体）からなる。
【００２８】
発光部は、注入された正孔及び電子が再結合して発光するためのものであり、例えば発光種であるクマリン化合物（Ｃ５４５Ｔ）が約１％ドーピングされた厚さ約３０ｎｍのＡｌｑ３からなる。
【００２９】
なお、有機発光層３は、上記、正孔輸送層、電子輸送層以外の層、例えば、正孔注入層、電子注入層等を用いて構成しても良い。
【００３０】
陰極層４は、例えば厚さ約１５０ｎｍのアルミニウムからなる。
【００３１】
封止板８は、陽極層２、陰極層４、および有機発光層３を保護し、これらを封止するものである。封止板８の材質としては、ガラス、ステンレススチール（ＳＵＳ）や銅等の金属、或いはセラミック等が挙げられる。
【００３２】
リードピン（９、１０）は、基板１を電極基板（１１、１２）に着脱自在に取り付けると共に、有機発光素子２０と電極基板（１１、１２）とを電気的に接続するためのものである。
【００３３】
リードピン（９、１０）の材質としては、ばね性を有する金属からなるのがよい。例えば、無酸素銅、真鍮、燐青銅、銀メッキ銅等が挙げられ、中でも燐青銅であるのが好ましい。
【００３４】
電極基板（１１、１２）は、有機発光素子２０に電源を供給するためのものであり、かつ基板１をリードピン（９、１０）を介して固定するためのものである。更に、有機発光素子２０で発生した熱を放熱するための放熱板の機能を有する。
【００３５】
電極基板（１１、１２）は、材質としては、例えば熱伝導性が良好で、電気抵抗が低い金属であるのがよい。好ましくは銅やアルミニウム等である。また、厚さは、例えば１〜１０ｍｍの金属からなる。
【００３６】
(動作原理)
本発明の第１の実施の形態に係る有機発光装置の動作原理は以下の通りである。
【００３７】
まず、陽極電極基板１１及び陰極電極基板１２から有機発光素子２０の陽極端子５及び陰極端子６を介して、陽極層２及び陰極層４の間に一定の電圧が印加される。これにより、陽極層２から正孔輸送層を介して発光部に正孔が注入されるとともに、陰極層４から電子輸送層を介して発光部に電子が注入される。そして、発光部に注入された正孔と電子とが再結合することによって、光Ｌを発光する。発光された光Ｌは、基板１を介して外部に出射される。
【００３８】
（製造方法）
図３及び図４は、本発明の第１の実施の形態による有機発光装置の製造方法を説明する図である。
【００３９】
本発明の第１の実施の形態に係る有機発光装置の製造方法は、基板１上に有機発光層３を形成して有機発光素子２０を形成する工程と、有機発光素子２０の端部をリードピン（９、１０）で挟持する工程と、電極基板（１１、１２）にピン接続孔（１４、１５）を形成する工程と、有機発光素子２０と電極基板（１１、１２）をリードピン（９、１０）及びピン接続孔（１４、１５）を介して接続する工程とを有する。
【００４０】
以下に、製造工程を詳述する。
【００４１】
（ａ）まず、図３（ａ）に示すように、基板１上の陽極層２及び陰極端子６をパターニング、エッチングした後、陽極層２と陰極端子６の間に絶縁層７を形成する。
【００４２】
（ｂ）次に、図３（ｂ）に示すように、真空蒸着装置で、正孔輸送層、発光部、及び電子輸送層を順に成膜して有機発光層３を形成する。
【００４３】
（ｃ）次に、図３（ｃ）に示すように、陰極層４をスパッタリング等により成膜して、陽極層２、有機発光層３及び陰極層４を含む有機発光素子２０を形成する。
【００４４】
（ｄ）次に、図３（ｄ）に示すように、封止板８をスパッタリング等により陽極端子５及び陰極端子６を除いて有機発光素子２０の表面に形成する。
【００４５】
（ｅ）次に、図３（ｅ）に示すように、リードピン（９、１０）を有機発光素子２０の端部に陽極端子５及び陰極端子６を介して挟持部９ａ、１０ａで挟みつけて固定する。
【００４６】
（ｆ）次に、図４（ｆ）に示すように、絶縁層１３を介して接合された電極基板（１１、１２）にピン接続孔（１４、１５）をエッチング等により形成する。
【００４７】
（ｇ）最後に、図４（ｇ）に示すように、差込部９ｂ、１０ｂをピン接続孔（１４、１５）に嵌入して有機発光素子２０を電極基板（１１、１２）に固定し、図２に示す有機発光装置３０が完成する。
【００４８】
このような有機発光装置３０は、有機発光素子２０を電極基板（１１、１２）にリードピン（９、１０）でピン接続孔（１４、１５）に差し込むだけで電源に接続できると共に、放熱板を兼ねた電極基板（１１、１２）に固定することが可能な構造を有することを特徴とする。
【００４９】
これにより、有機発光装置３０の小型化が可能となり、生産効率や歩留まりが改善し、低コスト化を図ることできる。
【００５０】
また、ピン接続とすることにより、構造が簡易で、安価な上、有機発光素子２０の交換作業が容易となる。
【００５１】
また、放熱板と電極板が一体化しているので、構造が簡易となる。
【００５２】
本発明の第１の実施の形態に係る有機発光装置によれば、構造が簡易で低コスト化が可能な有機発光装置３０を提供することができる。
【００５３】
[第２の実施の形態]
本発明の第２の実施の形態に係る有機発光装置は、図５に示すように、有機発光素子２０と、有機発光素子２０を固定及び電気的に接続するピン接続孔（１４、１５）を含む電極基板（１１、１２）と、有機発光素子２０の周辺部を挟持する挟持部９ａ、１０ａ、及びピン接続孔（１４、１５）に嵌入して有機発光素子２０を電極基板（１１、１２）に接続する差込部９ｂ、１０ｂを有するリードピン（９、１０）とを備え、有機発光素子２０と電極基板（１１、１２）間に配置された伝熱性部材１６を更に備える。その他の構成は、第１の実施の形態と同様であるので説明は省略する。
【００５４】
伝熱性部材１６は、電極基板（１１，１２）の表面に凹部２６を形成し、この凹部２６全体に配置して封止板８と密着させるのがよい。
【００５５】
伝熱性部材１６の材質としては、伝熱性を有するものであれば、特に限定されないが、エポキシ系樹脂やシリコーン系樹脂等が挙げられる。好ましくはシリコーン系樹脂、より好ましくはシリコーングリスである。
【００５６】
第２の実施の形態に係る有機発光装置の製造方法は、伝熱性部材１６を形成する方法が第１の実施の形態における製造方法と異なる点であり、他は第１の実施の形態と同様であるので、重複した説明は省略する。
【００５７】
第２の実施の形態に係る有機発光装置の製造方法において、有機発光装置３０Ａは、電極基板（１１、１２）及び絶縁層１３の表面にエッチング等により凹部２６を形成し、この凹部２６全体に伝熱性部材１６を塗布等により形成して製造することができる。
【００５８】
伝熱性部材１６を有機発光素子２０と電極基板（１１、１２）の間に配置するので、有機発光素子２０で発生した熱を伝熱性部材１６から電極基板（１１、１２）に効率よく伝えることができ、良好に放熱することができる。
【００５９】
本発明の第２の実施の形態に係る有機発光装置によれば、構造が簡易で低コスト化が可能な有機発光装置３０Ａを提供することができる。
【００６０】
[第３の実施の形態]
本発明の第３の実施の形態に係る有機発光装置は、図６及び図７に示すように、有機発光素子２０と、有機発光素子２０を固定及び電気的に接続するピン接続孔（１４、１５）を含む電極基板（１１、１２）と、有機発光素子２０の周辺部を挟持する挟持部９ａ、１０ａ、及びピン接続孔（１４、１５）に嵌入して有機発光素子２０を電極基板（１１、１２）に接続する差込部９ｂ、１０ｂを有するリードピン（９、１０）とを備え、電極基板（１１、１２）が絶縁層１３を介して複数並設して接続されており、接続された電極基板（１１、１２）の主面に有機発光素子２０が隣接して複数配置されている。その他の構成は、第１の実施の形態と同様であるので説明は省略する。
【００６１】
第３の実施の形態によれば、電極基板（１１、１２）を平面方向に拡張し、有機発光素子２０の複数個を電極基板（１１、１２）上に隣接して配置し、見かけ上、光学的に連続面発光体とした有機発光面光源の集合ユニットの構造が構成される。
【００６２】
すなわち、図６及び図７に示すように、絶縁層１３を介して陽極電極基板１１と陰極電極基板１２とが交互に配置され、この電極基板（１１、１２）に複数個の有機発光素子２０が隣接して配置される。
【００６３】
例えば、図６に示すように、一方の有機発光素子２０の一方の２角に陰極側リードピン１０、４０が陰極電極基板１２に、他方の２角に陽極側リードピン９、２９が陽極電極基板１１に固定されており、隣接する他方の有機発光素子２０の一方の２角に陽極側リードピン５９、６９が陽極電極基板１１に、他方の２角に陰極側リードピン５０、６０が陰極電極基板２２に固定されている。これらを電極基板（１１、１２）の互いに隣接する方向及び長手方向に繰り返し配置することで、集合ユニットが構成される。
【００６４】
第３の実施の形態に係る有機発光装置の製造方法は、電極基板（１１，１２）に複数の有機発光素子２０を配置することが異なる以外は、第１の実施の形態による製造方法と同様であるので、重複した説明は省略する。
【００６５】
第３の実施の形態に係る有機発光装置の製造方法においては、陽極電極基板１１と陰極電極基板１２とを絶縁層１３を介して交互に接合する。次に、ピン接続孔（１４、１５）を電極基板（１１、１２）の長手方向の所定の位置にエッチング等により複数形成する。次に、有機発光素子２０をピン接続により複数配置することにより有機発光装置３０Ｂを製造することができる。
【００６６】
第３の実施の形態によれば、複数の有機発光素子２０で１個の照明又は発光装置を構成するので、有機発光素子２０の発光色のレイアウトや比率を自由に選択可能となる。すなわち、照明の色合いを自由に変えることができる。例えば、赤と青と緑を交互に並べて白色照明としたり、ネオンサインのような色やデザイン、更に文字表現等も可能となる。
【００６７】
また、集合ユニットの形状やサイズが自由に選択可能となる。したがって、例えば、曲面を有する照明装置とすることが可能となる。
【００６８】
また、有機発光素子２０を電極基板（１１、１２）に電気的に接続する際、電気接続のレイアウトは直列、並列、対向等自由に選択することが可能となり、駆動電圧の変更が容易になる。
【００６９】
本発明の第３の実施の形態に係る有機発光装置によれば、構造が簡易で低コスト化が可能な有機発光装置３０を提供することができる。
【００７０】
[第４の実施の形態]
本発明の第４の実施の形態に係る有機発光装置は、図８に示すように、有機発光素子２０と、有機発光素子２０を固定及び電気的に接続するピン接続孔（１４、１５）を含む電極基板（１１、１２）と、有機発光素子２０の周辺部を挟持する挟持部９ａ、１０ａ、及びピン接続孔（１４、１５）に嵌入して有機発光素子２０を電極基板（１１、１２）に接続する差込部９ｂ、１０ｂを有するリードピン（９、１０）とを備え、電極基板（１１、１２）が絶縁層１３を介して複数並設して接続されており、接続された電極基板（１１、１２）の主面に有機発光素子２０が隣接して複数配置され、有機発光素子２０間の境界領域の上方に配置された導光性部材（１８、１９）と、導光性部材（１８、１９）を介して有機発光素子２０を覆うように配置された光拡散シート１７とを更に備える。その他の構成は、第１の実施の形態と同様であるので説明は省略する。
【００７１】
第４の実施の形態によれば、図８（ａ）、（ｂ）に示すように、導光性部材（１８、１９）が、電極基板（１１，１２）に複数配置された有機発光素子２０間の境界領域（非発光領域）の上方を覆うように、隣接し合う４つの有機発光素子２０のそれぞれの角近傍の表面に配置されている。
【００７２】
導光性部材（１８、１９）は、基板１に接する側のプリズム部１９とプリズム部１９の基板１に対向する面側に配置された拡散部１８とからなり、有機発光素子２０の発光部の角近傍から発光される光をプリズム部１９で集光し、拡散部１８を介して基板１の外側に出射する。
【００７３】
導光性部材（１８、１９）の形状は、円錐台又は多角錘台形状、好ましくは円錐台形状であるのがよい。導光性部材（１８、１９）の基板１側の底面を下底部、下底部に対向する底面を上底部としたとき、直径は、下底部５〜１０ｍｍ、上底部３〜７ｍｍで、厚さは、プリズム部１９及び拡散部１８が、それぞれ０．１〜２ｍｍである。
【００７４】
また、導光性部材（１８、１９）の下底部の中央はリードピン（９、１０）を収めるための空間として円錐台形状の凹部が形成されている。
【００７５】
導光性部材（１８、１９）の有機発光素子２０の表面に対する傾斜角は３０〜７５°、好ましくは４０〜６５°である。傾斜角が上記範囲内であると、有機発光素子２０の発光部の角近傍から発光される光を有機発光素子２０間の境界領域に効率よく集光することができる。
【００７６】
プリズム部１９は基板１より屈折率が大きい材質であるのがよく、アクリル系樹脂や塩化ビニル系樹脂等が挙げられる。
【００７７】
拡散部１８は、プリズム部１９と同様の材質であるのがよく、更にヘイズを有するのがよい。ヘイズ値は５〜３０％、好ましくは１０〜２０％であるのがよい。
【００７８】
第４の実施の形態によれば、図８（ａ）、（ｂ）に示すように、拡散部１８の表面に有機発光素子２０を覆うように光拡散シート１７を配置する。
【００７９】
光拡散シート１７の材質としては、アクリル系樹脂や塩化ビニル系樹脂等が挙げられ、ヘイズ値が５〜３０％、好ましくは１０〜２０％であるものが好ましい。
【００８０】
第４の実施の形態に係る有機発光装置の製造方法は、有機発光素子２０の表面上に導光性部材（１８、１９）を配置し、更に光拡散シート１７を配置することが異なる以外は、第３の実施の形態による製造方法と同様であるので、重複した説明は省略する。
【００８１】
第４の実施の形態に係る有機発光装置の製造方法においては、有機発光素子２０間の境界領域の上方を覆うように、隣接し合う４つの有機発光素子２０のそれぞれの角近傍の表面に導光性部材（１８、１９）を配置する。次に、導光性部材（１８、１９）上に光拡散シート１７を配置して、導光性部材（１８、１９）を有機発光素子２０と光拡散シート１７で挟みつけて固定し、有機発光装置３０Ｃを製造することができる。
【００８２】
第４の実施の形態によれば、有機発光素子２０間の境界領域の上方に導光性部材（１８、１９）を配置し、更に光拡散シートを配置するので、光学的にシームレスな（継ぎ目のない）照明又は発光装置とすることが可能となる。
【００８３】
また、導光性部材（１８、１９）を光拡散シート１７と有機発光素子２０で挟みつけて固定する構成を有するので、有機発光素子２０の交換、取り外しが容易となる。
【００８４】
本発明の第４の実施の形態に係る有機発光装置によれば、構造が簡易で低コスト化が可能な有機発光装置３０Ｃを提供することができる。
【００８５】
[その他の実施の形態]
以上、上述した第１乃至第４の実施の形態によって本発明を詳細に説明したが、当業者にとっては、本発明が本明細書中に説明した第１乃至第４の実施の形態に限定されるものではないということは明らかである。本発明は、特許請求の範囲の記載により定まる本発明の趣旨及び範囲を逸脱することなく修正及び変更形態として実施することができる。従って、本明細書の記載は、例示説明を目的とするものであり、本発明に対して何ら制限的な意味を有するものではない。以下、上述した第１乃至第４の実施の形態を一部変更した変更形態について説明する。
【００８６】
例えば、各層の厚み等の寸法や構成する材料を変更することは可能である。
【００８７】
上述した第１の実施の形態に係る有機発光装置において、リードピン（９、１０）で有機発光素子２０を挟持した構成を説明したが、リードピン（９、１０）の挟持部（９ａ、１０ａ）を樹脂等で覆ってより確実に固定してもよい。
【００８８】
また、上述した第１の実施の形態に係る有機発光装置において、リードピン（９、１０）及びリードピン（２９、４０）により有機発光素子２０を電極基板（１１、１２）に固定及び電気的に接続した構成を説明したが、リードピン（２９、４０）は電気的に接続しないことが可能である。
【００８９】
また、上述した第４の実施の形態に係る有機発光装置においては、導光性部材（１８、１９）を光拡散シート１７と有機発光素子２０で挟みつけて固定する構成を説明したが、光拡散シート１７を導光性部材（１８、１９）に接着樹脂等を介して接着してもよい。更に、導光性部材（１８、１９）を有機発光素子２０に接着樹脂等を介して接着してもよい。
【００９０】
また、上述した第４の実施の形態に係る有機発光装置においては、導光性部材（１８、１９）上に光拡散シート１７を配置した構成を説明をしたが、光拡散シート１７に代えてガラス板或いはアクリル樹脂等の板を配置してもよい。また、光拡散シート１７は使用しないことも可能である。
【符号の説明】
【００９１】
１・・・基板
２・・・陽極層
３・・・有機発光層
４・・・陰極層
５・・・陽極端子
６・・・陰極端子
７・・・絶縁層
８・・・封止板
９・・・陽極側リードピン
１０・・・陰極側リードピン
１１・・・陽極電極基板
１２・・・陰極電極基板
１３・・・絶縁層
２０・・・有機発光素子
３０・・・有機発光装置
【図１】
2014003026.tif 000003
【図２】
2014003026.tif 000004
【図３】
2014003026.tif 000005
【図４】
2014003026.tif 000006
【図５】
2014003026.tif 000007
【図６】
2014003026.tif 000008
【図７】
2014003026.tif 000009
【図８】
2014003026.tif 000010
【図９】
2014003026.tif 000011